(57)【要約】【課題】      錘部とボディ部の境界部からの破損を防止した釣り用浮子とその製造方法を提供することである。【解決手段】  釣り用浮子１は外形が左右の幅（径）より上下幅（高さ）の方が大きい卵型等に形成され、上下中央よりも下方側が最も太径に形成されている。  釣り用浮子１の最も太径に形成された部分の内部には重量部となる球状の内層部１ｂが形成され、内層部１ｂの外側に第１外層部（内側層）１ｃ、第２外層部（中間層）１ｄ、第３外層部（外側層）１ｅが順次金型成形で形成されている。  内層部１ｂの材料は水（比重１．０）より比重の大きい合成樹脂材料とし、比重２．５までの材料を用い、内層部１ｂを囲繞する外層部の材料は、内層部１ｂより比重が小さく、水（比重１．０）以下の比重の合成樹脂材料で形成されている。【選択図】        図１
2006230367.tif 000002
【特許請求の範囲】
【請求項１】
合成樹脂の内層部の周囲をこれより比重が小さい材料からなる合成樹脂の外層部で囲繞して形成したことを特徴とする釣り用浮子。
【請求項２】
外層部は比重１．０以下の材料からなることを特徴とする請求項１記載の釣り用浮子。
【請求項３】
外層部は内側の層を外側の層が囲繞して形成した複数の層からなることを特徴とする請求項１または２記載の釣り用浮子。
【請求項４】
外層部の複数の層は同種の合成樹脂からなることを特徴とする請求項１乃至３記載の釣り用浮子。
【請求項５】
内側の層を外側の層が囲繞するように複数回の合成樹脂の射出成形を行うことで形成したことを特徴とする釣り用浮子の製造方法。
【請求項６】
複数回の合成樹脂の射出成形は同種の合成樹脂を用いたことを特徴とする請求項５記載の釣り用浮子の製造方法。
【請求項７】
複数回の合成樹脂の射出成形のうち、最内層は重量物を混入した合成樹脂を用いたことを特徴とする請求項５または６記載の釣り用浮子の製造方法。
【発明の詳細な説明】
【技術分野】
【０００１】
本発明は、釣り用浮子の改良及びその製造方法に関する。
【背景技術】
【０００２】
従来から釣りの仕掛けには様々な浮子が用いられ、主に磯釣りで糸通し孔を有する浮子が用いられる。
これらの浮子は水に浮いた状態でバランスを取るため一端側が重くなるように形成される。
このため特許文献１のように下端に重量物を混入した錘部を設け、その上方側に重ねて浮力の大きいボデイ部が取付られている。
しかし、このような浮子は錘部とボデイ部の境界が浮子外周に現れるため、そこから破損しやすかった。
【特許文献１】特開平１１−１７８４９３号公報
【発明の開示】
【発明が解決しようとする課題】
【０００３】
解決しようとする問題点は、下端に重量物を混入した錘部を設け、その上方側に重ねて浮力の大きいボディ部が取り付けられている浮子は錘部とボディ部の境界部が浮子外周に現れるため、そこから破損しやすいことである。
【０００４】
本発明の目的は前記欠点に鑑み、錘部とボディ部の境界部からの破損を防止した釣り用浮子を提供することである。
また、本発明の目的は浮子を容易に製造する方法を提供することである。
【課題を解決するための手段】
【０００５】
本発明の請求項１は、合成樹脂の内層部の周囲をこれより比重が小さい材料からなる合成樹脂の外層部で囲繞して形成したことを要旨とするものである。
本発明の請求項２は、外層部は比重１．０以下の材料からなることを要旨とするものである。
本発明の請求項３は、外層部は内側の層を外側の層が囲繞して形成した複数の層からなることを要旨とするものである。
本発明の請求項４は、外層部の複数の層は同種の合成樹脂からなることを要旨とするものである。
本発明の請求項５は、内側の層を外側の層が囲繞するように複数回の合成樹脂の射出成形を行うことで形成したことを要旨とするものである。
本発明の請求項６は、複数回の合成樹脂の射出成形は同種の合成樹脂を用いたことを要旨とするものである。
本発明の請求項７は、複数回の合成樹脂の射出成形のうち、最内層は重量物を混入した合成樹脂を用いたことを要旨とするものである。
【発明の効果】
【０００６】
本発明により、内層部と外層部の境界部が浮子本体の表面に現れないため破損しにくい。
成形材料の境界部に巣が出来ることが防止され、破損しにくい浮子が容易に製造できる。
【発明を実施するための最良の形態】
【０００７】
釣り用浮子１は上下方向に釣り糸の挿通孔１ａが貫通されている。
釣り用浮子１は外形が左右の幅（径）より上下幅（高さ）の方が大きい卵型等に形成され、上下中央よりも下方側が最も太径に形成されている。
釣り用浮子１の最も太径に形成された部分の内部には重量部となる球状の内層部１ｂが形成され、内層部１ｂの外側に第１外層部（内側層）１ｃ、第２外層部（中間層）１ｄ、第３外層部（外側層）１ｅが順次金型成形で形成されている。  内層部１ｂの材料は水（比重１．０）より比重の大きい合成樹脂材料とし、比重２．５までの材料を用いると、内層部と外層部の比重の差があまり大きくならず、浮子が水になじんで自然な動きをするので好ましい。
材料は例えばＡＢＳ樹脂（比重１．０１〜１．２）などを用いることが出来る他、比重１．０以下の合成樹脂であっても重量物を混入して比重１．０より大きい材料としても良い。
例えばこの場合ポリプロピレン（比重０．９）に金属粉末を混入したり、石灰の粉末を混入して得られた比重１．０より大きい材料を用いても良い。
また、上記内層部１ｂを囲繞する第１外層部（内側層）１ｃの材料は、内層部１ｂより比重が小さく、水（比重１．０）以下の比重の合成樹脂材料で形成されている。
第１外層部（内側層）１ｃの材料は例えばポリプロピレン（比重０．９）やポリメチルペンテン（比重０．８３〜０．８４）を用いて金型内で射出成形によって形成される。
【実施例１】
【０００８】
以下、図示の実施例によって本発明を説明すると、図１は釣り用浮子の断面正面図、図２は釣り用浮子の内層部を成形する金型の断面平面図、図３は釣り用浮子の第１外層部を成形する金型の断面平面図、図４は釣り用浮子の第２外層部を成形する金型の断面平面図、図５は釣り用浮子の第３外層部を成形する金型の断面平面図である。
【０００９】
釣り用浮子１は上下方向に釣り糸の挿通孔１ａが貫通されている。
釣り用浮子１は外形が左右の幅（径）より上下幅（高さ）の方が大きい卵型等（弾丸型、ボ−ル型など様々な型にしてもよい）に形成され、上下中央よりも下方側が最も太径に形成されている。
釣り用浮子１の最も太径に形成された部分の内部には重量部となる球状の内層部１ｂが形成され、内層部１ｂの外側に第１外層部（内側層）１ｃ、第２外層部（中間層）１ｄ、第３外層部（外側層）１ｅが順次金型成形で形成され全体として比重１．０以下の釣り用浮子となっている。
【００１０】
図２は釣り用浮子１の内層部１ｂを成形する金型２、３の断面平面図で、金型２には内層部１ｂの球形を成形する半球部２ａと釣り糸の挿通孔１ａを成形する突片２ｂが形成されている。
金型３には内層部１ｂの球形を成形する半球部３ａが形成されている。
金型３には図示しない射出注入口が形成されて比重の大きい重量物が混入された合成樹脂が射出注入されて成形される。
内層部１ｂの材料は水（比重１．０）より比重の大きい合成樹脂材料とし、比重２．５までの材料を用いる。
材料は例えばＡＢＳ樹脂（比重１．０１〜１．２）などを用いることが出来る他、比重１．０以下の合成樹脂であっても重量物を混入して比重１．０より大きい材料としても良い。
例えばこの場合ポリプロピレン（比重０．９）に金属粉末を混入したり、石灰の粉末を混入して得られた比重１．０より大きい材料を用いても良い。
【００１１】
図３は釣り用浮子１の第１外層部（内側層）１ｃを成形する金型４、５の断面平面図で、金型４には第１外層部（内側層）１ｃの卵形を成形する半球部４ａと釣り糸の挿通孔１ａを成形する突片４ｂが形成されている。
金型５には第１外層部（内側層）１ｃの卵形を成形する半球部５ａが形成されている。
金型５には図示しない射出注入口が形成されて合成樹脂が射出注入されて成形される。
内層部１ｂを囲繞する第１外層部（内側層）１ｃの材料は、内層部１ｂより比重が小さく、水（比重１．０）以下の比重の合成樹脂材料で形成されている。
第１外層部（内側層）１ｃの材料は例えばポリプロピレン（比重０．９）やポリメチルペンテン（比重０．８３〜０．８４）を用いて金型内で射出成形によって形成される。
内層部１ｂと第１外層部（内側層）１ｃは境界層１ｆで一体化されている。
【００１２】
図４は釣り用浮子１の第２外層部（中間層）１ｄを成形する金型６、７の断面平面図で、金型６には第２外層部（中間層）１ｄの卵形を成形する半球部６ａと釣り糸の挿通孔１ａを成形する突片６ｂが形成されている。
金型７には第２外層部（中間層）１ｄの卵形を成形する半球部７ａが形成されている。
金型７には図示しない射出注入口が形成されて合成樹脂が射出注入されて成形される。
第２外層部（中間層）１ｄの材料は第１外層部（内側層）１ｃの材料と同等である。
第１外層部（内側層）１ｃと第２外層部（中間層）１ｄは境界層１ｇで一体化されている。
【００１３】
図５は釣り用浮子１の第３外層部（外側層）１ｅを成形する金型８、９の断面平面図で、金型８には第３外層部（外側層）１ｅの卵形を成形する半球部８ａと釣り糸の挿通孔１ａを成形する突片８ｂが形成されている。
金型９には第３外層部（外側層）１ｅの卵形を成形する半球部９ａが形成されている。
金型９には図示しない射出注入口が形成されて合成樹脂が射出注入されて成形される。
第３外層部（外側層）１ｅの材料は第１外層部（内側層）１ｃの材料と同等である。
第２外層部（中間層）１ｄと第３外層部（外側層）１ｅは境界層１ｈで一体化されている。
【００１４】
上記各図の説明をまとめると、内層部１ｂを囲繞する外層部１ｃ、１ｄ、１ｅの材料は全体として比重１．０より小さい釣り用浮子１としながら外層部１ｃ、１ｄ、１ｅより比重の大きい内層部１ｂを浮子の上下幅（高さ）の中央よりも下方側に設けることで方向を安定させながら水面を漂うように形成する。
このように、合成樹脂の内層部の周囲をこれより比重が小さい材料からなる合成樹脂の外層部で囲繞すると内層部と外層部の境界部が浮子１の表面に現れないため破損しにくい。
また、内層部は外層部と同様に合成樹脂で形成しているため金属製の錘に比し境界部のなじみがよく内層部の保持性が向上する。
さらに、内層部と外層部を同種の合成樹脂を用いると両者の境界部の接合性が向上し境界部の剥離が防止され、内層部が確実に保持される。
【００１５】
また、浮子の製造方法において、内層部の構成材料として重量物を混入した合成樹脂（例えば石灰の粉末等の重量物を混入してポリプロピレン）を用いて金型で射出成形して内層部を得る。
この時金型キャビティ内の突片によって内層部に釣り糸の挿通孔１ａが一体に形成される。
次にこの内層部を外層部成形金型内に支持して合成樹脂（ポリプロピレン）で周囲を囲繞するように射出成形し、内層部を外層部で被覆する。
さらにこれにより僅かに大きいキャビティを有する金型内にセットして合成樹脂（ポリプロピレン）で周囲を囲繞するように射出成形する。
外層部は同様の成形を複数回（好ましくは３回以上）行い成形する。
【００１６】
このように複数積層するように徐々に層を重ねて外層部を形成すると成形した合成樹脂材料のひけを小さくできるため１度で厚い外層部を射出成形した場合のように材料のひけによる巣が発生しにくい。
従って、層状に被覆して形成した外層部はそれぞれの層の境界が一体化している。
また、内層部と外層部が同種の合成樹脂であるため両者の境界は接合し剥離による破損が防止される。
このようにして層の間に巣が出来ず、破損しにくい浮子が容易に製造出来る。
また、巣が発生しにくいと、浮子の内部に入り込んだ空気が少ないため、内層部と外層部は使用する材料の比重に近い状態で形成されるため、製造した浮子の品質にバラツキが生じにくい。
【００１７】
このような浮子１は浮子本体の釣り糸挿通孔１ａに釣り糸（道糸）を通し、釣り糸に遊嵌して使用する。
水中に投入すると釣り糸先端の釣り針と餌等の仕掛けは水中に徐々に沈下し、浮子も仕掛けにひかれて水面または水面のすぐ下側を漂うこととなる。
この時浮子の比重は水（１．０）に近く水に馴染んで水の流れに合致した自然な動きをしており、魚が餌に食いついて仕掛けを引き込んだとき、浮子の抵抗をあまり感じないため明確な当りがでやすい。
【００１８】
前記のように釣り用浮子１が構成されていると、内層部と外層部の境界部が浮子本体の表面に現れないため破損しにくい。
成形材料の境界部に巣が出来ることが防止され、破損しにくい浮子が容易に製造できる。
【産業上の利用可能性】
【００１９】
本発明は釣り用浮子全般に利用できる。
【図面の簡単な説明】
【００２０】
【図１】釣り用浮子の断面正面図である。
【図２】釣り用浮子の内層部を成形する金型の断面平面図である。
【図３】釣り用浮子の第１外層部を成形する金型の断面平面図である。
【図４】釣り用浮子の第２外層部を成形する金型の断面平面図である。
【図５】釣り用浮子の第３外層部を成形する金型の断面平面図である。
【符号の説明】
【００２１】
１  釣り用浮子
１ｂ  内層部
１ｃ  第１外層部（内側層）
１ｄ  第２外層部（中間層）
１ｅ  第３外層部（外側層）
【図１】
2006230367.tif 000003
【図２】
2006230367.tif 000004
【図３】
2006230367.tif 000005
【図４】
2006230367.tif 000006
【図５】
2006230367.tif 000007